(57)【要約】【課題】  景品を介在させないでパチンコ玉等を現金と引き換えることを可能とする。【解決手段】  パチンコ玉の個数を求める計数部１０２と、パチンコ玉と景品情報（千両箱）との交換比率を記録する交換比率記録部１１０と、計数部１０２により求められた個数および交換比率記録部１１０の記録内容に基づき、パチンコ玉に相当する千両箱の個数を決定する景品情報数決定部１１４と、千両箱の個数を外部のＩＣカード２０に書き込むＩＣカードライタ１１６とを備え、ＩＣカード２０に書き込まれた千両箱の個数に応じて現金支払機から現金の支払いを受けることができる。「千両箱」は実在の物ではなく、単なる情報に過ぎず、景品という実在する物自体を介在させなくても換金が可能である。【選択図】  図１
2005185449.tif 000002
【特許請求の範囲】
【請求項１】
貨幣代替物の個数を求める計数手段と、
前記貨幣代替物と景品情報との交換比率を記録する交換比率記録手段と、
前記計数手段により求められた個数および前記交換比率記録手段の記録内容に基づき、前記貨幣代替物に相当する前記景品情報の単位数を決定する景品情報数決定手段と、
前記景品情報およびその単位数を外部の記録媒体に書き込む景品情報書込手段と、
を備えた景品情報交換装置。
【請求項２】
請求項１に記載の景品情報交換装置であって、
前記景品情報数決定手段は、さらに、前記景品情報に交換できる個数に満たない前記貨幣代替物の個数をも決定する、
景品情報交換装置。
【請求項３】
請求項２に記載の景品情報交換装置であって、
前記景品情報に交換できる個数に満たない前記貨幣代替物を利用者に返却する返却手段、
を備えた景品情報交換装置。
【請求項４】
請求項２に記載の景品情報交換装置であって、
前記景品情報書込手段は、前記景品情報に交換できる個数に満たない前記貨幣代替物の個数をも、外部の記録媒体に書き込む、
景品情報交換装置。
【請求項５】
請求項１に記載の景品情報交換装置であって、
前記交換比率記録手段は、
前記貨幣代替物と貨幣価値との交換比率を記録する価値記録部と、
前記貨幣価値と前記景品情報との交換比率を記録する景品情報記録部と、
を有する、
景品情報交換装置。
【請求項６】
請求項１に記載の景品情報交換装置であって、
前記外部の記録媒体はＩＣカードである、
景品情報交換装置。
【請求項７】
請求項１ないし６のいずれか一項に記載の景品情報交換装置であって、
前記貨幣代替物は、パチンコ玉あるいはチップである、
景品情報交換装置。
【請求項８】
請求項１ないし７のいずれか一項に記載の景品情報交換装置における景品情報書込手段による書込みを受ける景品情報記録媒体。
【請求項９】
ＩＣカードにより構成される、請求項８に記載の景品情報記録媒体。
【請求項１０】
所持者の識別情報が記録された、請求項８に記載の景品情報記録媒体。
【請求項１１】
前記貨幣代替物の貸与履歴が記録された、請求項１０に記載の景品情報記録媒体。
【請求項１２】
請求項８ないし１１のいずれか一項に記載の景品情報記録媒体から景品情報およびその単位数を読み出す景品情報読出手段と、
前記景品情報と貨幣との交換比率を記録する貨幣交換比率記録手段と、
前記景品情報読出手段により読み出された景品情報と、前記貨幣交換比率記録手段の記録内容とに基づき、前記景品情報に相当する貨幣価値を決定する貨幣価値決定手段と、
前記貨幣価値決定手段により決定された貨幣価値の貨幣を支払う貨幣支払手段と、
を備えた支払装置。
【請求項１３】
請求項１２に記載の支払装置であって、
前記景品情報読出手段により読み出された景品情報の単位数未満の景品情報について貨幣の支払が行なわれる、
支払装置。
【請求項１４】
請求項１に記載の景品情報交換装置であって、
請求項１０に記載の景品情報記録媒体から所持者の識別情報を読み出す所持者識別情報読出手段と、
前記識別情報と、前記計数手段により求められた個数とを対応づけて記録する統計記録手段と、
を備えた景品情報交換装置。
【請求項１５】
請求項１に記載の景品情報交換装置であって、
請求項１１に記載の景品情報記録媒体から所持者の識別情報を読み出す所持者識別情報読出手段と、
請求項１１に記載の景品情報記録媒体から前記貨幣代替物の貸与履歴を読み出す貸与履歴読出手段と、
前記識別情報と、前記計数手段により求められた個数および前記貸与履歴とを対応づけて記録する統計記録手段と、
を備えた景品情報交換装置。
【請求項１６】
計数手段が、貨幣代替物の個数を求める計数工程と、
交換比率記録手段が、前記貨幣代替物と景品情報との交換比率を記録する交換比率記録工程と、
景品情報数決定手段が、前記計数工程により求められた個数および前記交換比率記録手段の記録内容に基づき、前記貨幣代替物に相当する前記景品情報の単位数を決定する景品情報数決定工程と、
景品情報書込手段が、前記景品情報およびその単位数を外部の記録媒体に書き込む景品情報書込工程と、
を備えた景品情報交換方法。
【請求項１７】
景品情報読出手段が、請求項８ないし１１のいずれか一項に記載の景品情報記録媒体から景品情報およびその単位数を読み出す景品情報読出工程と、
貨幣交換比率記録手段が、前記景品情報と貨幣との交換比率を記録する貨幣交換比率記録工程と、
貨幣価値決定手段が、前記景品情報読出工程により読み出された景品情報と、前記貨幣交換比率記録工程の記録内容とに基づき、前記景品情報に相当する貨幣価値を決定する貨幣価値決定工程と、
貨幣支払手段が、前記貨幣価値決定工程により決定された貨幣価値の貨幣を支払う貨幣支払工程と、
を備えた支払方法。
【請求項１８】
貨幣代替物の個数を求める計数手段を有する景品情報交換装置における景品情報交換処理をコンピュータに実行させるためのプログラムであって、
前記貨幣代替物と景品情報との交換比率を記録する交換比率記録処理と、
前記計数処理により求められた個数および前記交換比率記録処理の記録内容に基づき、前記貨幣代替物に相当する前記景品情報の単位数を決定する景品情報数決定処理と、
をコンピュータに実行させるためのプログラム。
【請求項１９】
請求項８ないし１１のいずれか一項に記載の景品情報記録媒体から景品情報およびその単位数を読み出す景品情報読出手段を有する支払装置における支払処理をコンピュータに実行させるためのプログラムであって、
前記景品情報と貨幣との交換比率を記録する貨幣交換比率記録処理と、
前記景品情報読出処理により読み出された景品情報と、前記貨幣交換比率記録処理の記録内容とに基づき、前記景品情報に相当する貨幣価値を決定する貨幣価値決定処理と、
をコンピュータに実行させるためのプログラム。
【請求項２０】
貨幣代替物の個数を求める計数手段を有する景品情報交換装置における景品情報交換処理をコンピュータに実行させるためのプログラムを記録したコンピュータによって読み取り可能な記録媒体であって、
前記貨幣代替物と景品情報との交換比率を記録する交換比率記録処理と、
前記計数処理により求められた個数および前記交換比率記録処理の記録内容に基づき、前記貨幣代替物に相当する前記景品情報の単位数を決定する景品情報数決定処理と、
をコンピュータに実行させるためのプログラムを記録したコンピュータによって読み取り可能な記録媒体。
【請求項２１】
請求項８ないし１１のいずれか一項に記載の景品情報記録媒体から景品情報およびその単位数を読み出す景品情報読出手段を有する支払装置における支払処理をコンピュータに実行させるためのプログラムを記録したコンピュータによって読み取り可能な記録媒体であって、
前記景品情報と貨幣との交換比率を記録する貨幣交換比率記録処理と、
前記景品情報読出処理により読み出された景品情報と、前記貨幣交換比率記録処理の記録内容とに基づき、前記景品情報に相当する貨幣価値を決定する貨幣価値決定処理と、
をコンピュータに実行させるためのプログラムを記録したコンピュータによって読み取り可能な記録媒体。
【発明の詳細な説明】
【技術分野】
【０００１】
本発明は、パチンコ、スロットマシーン等の遊戯機械を遊戯することにより得られたパチンコ玉などの処理に関する。
【背景技術】
【０００２】
従来より、パチンコを遊戯して得られたパチンコ玉を、ペンケース、ライターケース等の景品に交換することが広く行なわれている。しかも、このようにして得られた景品を、景品交換所に持ち込み、景品と引換に現金を得ることもまた広く行なわれている。
【０００３】
なお、出願人は、このようなパチンコ玉の処理を記載した特許文献等を知らない。
【発明の開示】
【発明が解決しようとする課題】
【０００４】
しかしながら、景品を介在させてパチンコ玉を現金と引き換える方法は、景品を介在させたことにより不都合な点が生じる。例えば、パチンコ屋と遊戯者との間に景品を扱う中間業者を介在させる必要があるため、パチンコ屋の費用がかさむなどの問題が生じる。
【０００５】
なお、このような問題は、パチンコに限らず、チップ等をやりとりする色々なゲーム（例えば、カードゲーム、ルーレット）において、チップを現金と引き換える際にも同様に生じる。
【０００６】
そこで、本発明は、景品を介在させないでパチンコ玉等を現金と引き換えることを可能とすることを課題とする。
【課題を解決するための手段】
【０００７】
請求項１に記載の発明は、貨幣代替物の個数を求める計数手段と、貨幣代替物と景品情報との交換比率を記録する交換比率記録手段と、計数手段により求められた個数および交換比率記録手段の記録内容に基づき、貨幣代替物に相当する景品情報の単位数を決定する景品情報数決定手段と、景品情報およびその単位数を外部の記録媒体に書き込む景品情報書込手段とを備えるように構成される。
【０００８】
上記のように構成された発明によれば、計数手段は、貨幣代替物の個数を求める。交換比率記録手段は、貨幣代替物と景品情報との交換比率を記録する。景品情報数決定手段は、計数手段により求められた個数および交換比率記録手段の記録内容に基づき、貨幣代替物に相当する景品情報の単位数を決定する。景品情報書込手段は、景品情報およびその単位数を外部の記録媒体に書き込む。
【０００９】
請求項２に記載の発明は、請求項１に記載の発明であって、景品情報数決定手段は、さらに、景品情報に交換できる個数に満たない貨幣代替物の個数をも決定するように構成される。
【００１０】
請求項３に記載の発明は、請求項２に記載の発明であって、景品情報に交換できる個数に満たない貨幣代替物を利用者に返却する返却手段を備えるように構成される。
【００１１】
請求項４に記載の発明は、請求項２に記載の発明であって、景品情報書込手段は、景品情報に交換できる個数に満たない貨幣代替物の個数をも、外部の記録媒体に書き込むように構成される。
【００１２】
請求項５に記載の発明は、請求項１に記載の発明であって、交換比率記録手段は、貨幣代替物と貨幣価値との交換比率を記録する価値記録部と、貨幣価値と景品情報との交換比率を記録する景品情報記録部とを有するように構成される。
【００１３】
請求項６に記載の発明は、請求項１に記載の発明であって、外部の記録媒体はＩＣカードであるように構成される。
【００１４】
請求項７に記載の発明は、請求項１ないし６のいずれか一項に記載の発明であって、貨幣代替物は、パチンコ玉あるいはチップであるように構成される。
【００１５】
請求項８に記載の発明は、請求項１ないし７のいずれか一項に記載のおける景品情報交換装置における景品情報書込手段による書込みを受ける景品情報記録媒体である。
【００１６】
請求項９に記載の発明は、ＩＣカードにより構成される、請求項８に記載の景品情報記録媒体である。
【００１７】
請求項１０に記載の発明は、所持者の識別情報が記録された、請求項８に記載の景品情報記録媒体である。
【００１８】
請求項１１に記載の発明は、貨幣代替物の貸与履歴が記録された、請求項１０に記載の景品情報記録媒体である。
【００１９】
請求項１２に記載の発明は、請求項８ないし１１のいずれか一項に記載の景品情報記録媒体から景品情報およびその単位数を読み出す景品情報読出手段と、景品情報と貨幣との交換比率を記録する貨幣交換比率記録手段と、景品情報読出手段により読み出された景品情報と、貨幣交換比率記録手段の記録内容とに基づき、景品情報に相当する貨幣価値を決定する貨幣価値決定手段と、貨幣価値決定手段により決定された貨幣価値の貨幣を支払う貨幣支払手段とを備えるように構成される。
【００２０】
上記のように構成された発明によれば、景品情報読出手段は、請求項８ないし１１のいずれか一項に記載の景品情報記録媒体から景品情報およびその単位数を読み出す。貨幣交換比率記録手段は、景品情報と貨幣との交換比率を記録する。貨幣価値決定手段は、景品情報読出手段により読み出された景品情報と、貨幣交換比率記録手段の記録内容とに基づき、景品情報に相当する貨幣価値を決定する。貨幣支払手段は、貨幣価値決定手段により決定された貨幣価値の貨幣を支払う。
【００２１】
請求項１３に記載の発明は、請求項１２に記載の支払装置であって、景品情報読出手段により読み出された景品情報の単位数未満の景品情報について貨幣の支払が行なわれるように構成される。
【００２２】
請求項１４に記載の発明は、請求項１に記載の発明であって、請求項１０に記載の景品情報記録媒体から所持者の識別情報を読み出す所持者識別情報読出手段と、識別情報と、計数手段により求められた個数とを対応づけて記録する統計記録手段とを備えるように構成される。
【００２３】
請求項１５に記載の発明は、請求項１に記載の発明であって、請求項１１に記載の景品情報記録媒体から所持者の識別情報を読み出す所持者識別情報読出手段と、請求項１１に記載の景品情報記録媒体から貨幣代替物の貸与履歴を読み出す貸与履歴読出手段と、識別情報と、計数手段により求められた個数および貸与履歴とを対応づけて記録する統計記録手段とを備えるように構成される。
【００２４】
請求項１６に記載の発明は、計数手段が、貨幣代替物の個数を求める計数工程と、交換比率記録手段が、貨幣代替物と景品情報との交換比率を記録する交換比率記録工程と、景品情報数決定手段が、計数工程により求められた個数および交換比率記録手段の記録内容に基づき、貨幣代替物に相当する景品情報の単位数を決定する景品情報数決定工程と、景品情報書込手段が、景品情報およびその単位数を外部の記録媒体に書き込む景品情報書込工程とを備えるように構成される。
【００２５】
請求項１７に記載の発明は、景品情報読出手段が、請求項８ないし１１のいずれか一項に記載の景品情報記録媒体から景品情報およびその単位数を読み出す景品情報読出工程と、貨幣交換比率記録手段が、景品情報と貨幣との交換比率を記録する貨幣交換比率記録工程と、貨幣価値決定手段が、景品情報読出工程により読み出された景品情報と、貨幣交換比率記録工程の記録内容とに基づき、景品情報に相当する貨幣価値を決定する貨幣価値決定工程と、貨幣支払手段が、貨幣価値決定工程により決定された貨幣価値の貨幣を支払う貨幣支払工程とを備えるように構成される。
【００２６】
請求項１８に記載の発明は、貨幣代替物の個数を求める計数手段を有する景品情報交換装置における景品情報交換処理をコンピュータに実行させるためのプログラムであって、貨幣代替物と景品情報との交換比率を記録する交換比率記録処理と、計数処理により求められた個数および交換比率記録処理の記録内容に基づき、貨幣代替物に相当する景品情報の単位数を決定する景品情報数決定処理とをコンピュータに実行させるためのプログラムである。
【００２７】
請求項１９に記載の発明は、請求項８ないし１１のいずれか一項に記載の景品情報記録媒体から景品情報およびその単位数を読み出す景品情報読出手段を有する支払装置における支払処理をコンピュータに実行させるためのプログラムであって、景品情報と貨幣との交換比率を記録する貨幣交換比率記録処理と、景品情報読出処理により読み出された景品情報と、貨幣交換比率記録処理の記録内容とに基づき、景品情報に相当する貨幣価値を決定する貨幣価値決定処理とをコンピュータに実行させるためのプログラムである。
【００２８】
請求項２０に記載の発明は、貨幣代替物の個数を求める計数手段を有する景品情報交換装置における景品情報交換処理をコンピュータに実行させるためのプログラムを記録したコンピュータによって読み取り可能な記録媒体であって、貨幣代替物と景品情報との交換比率を記録する交換比率記録処理と、計数処理により求められた個数および交換比率記録処理の記録内容に基づき、貨幣代替物に相当する景品情報の単位数を決定する景品情報数決定処理とをコンピュータに実行させるためのプログラムを記録したコンピュータによって読み取り可能な記録媒体である。
【００２９】
請求項２１に記載の発明は、請求項８ないし１１のいずれか一項に記載の景品情報記録媒体から景品情報およびその単位数を読み出す景品情報読出手段を有する支払装置における支払処理をコンピュータに実行させるためのプログラムを記録したコンピュータによって読み取り可能な記録媒体であって、景品情報と貨幣との交換比率を記録する貨幣交換比率記録処理と、景品情報読出処理により読み出された景品情報と、貨幣交換比率記録処理の記録内容とに基づき、景品情報に相当する貨幣価値を決定する貨幣価値決定処理とをコンピュータに実行させるためのプログラムを記録したコンピュータによって読み取り可能な記録媒体である。
【発明を実施するための最良の形態】
【００３０】
以下、本発明の実施形態を図面を参照しながら説明する。
【００３１】
まず、本発明の実施形態にかかる景品処理システムをパチンコに利用する際の手順の概要を説明する。なお、本発明はパチンコに限らず、スロットマシーンにも適用できるし、チップ等をやりとりする色々なゲーム（例えば、カードゲーム、ルーレット）にも適用できる。この場合、パチンコ玉のかわりに、メダルやチップが用いられることになる。
【００３２】
プレーヤーは、現金の支払いなどにより、貸玉機から、パチンコ台にてプレーを行なうためのパチンコ玉の貸与を受ける。プレーヤーは、貸与されたパチンコ玉をパチンコ台に投入してプレーを行なう。
【００３３】
パチンコ店においてプレーヤーがパチンコ台にてプレーを行なうと、いわゆる「大当たり」という状態が発生することがある。この場合、プレーヤーはパチンコ台から多くのパチンコ玉の供給を受けることができる。プレーヤーは、パチンコ台から供給された多くのパチンコ玉を箱に詰める。
【００３４】
プレーヤーは、箱に詰めたパチンコ玉を景品情報交換機１０に持参する。景品情報交換機１０は、箱に詰めたパチンコ玉の個数を求める（例、３００個）。そして、景品情報（例、千両箱）の数および端数玉の個数を決定する。例えば、千両箱：３個、端数玉（千両箱１個に満たないパチンコ玉の個数）：１９個というように決定する。千両箱：３個、という景品情報およびその個数は、プレーヤーの所持するＩＣカード２０に書き込まれる。「千両箱」といっても、実際に、千両もの小判が入るような木製の箱をプレーヤーに渡すわけではないということに留意されたい。「千両箱」という情報がＩＣカード２０に書き込まれるだけである。また端数玉は景品情報交換機１０によりプレーヤーに返却してもよいが、端数玉の個数もまた、プレーヤーの所持するＩＣカード２０に書き込んでもよい。
【００３５】
プレーヤーは、ＩＣカード２０を持って、パチンコ店を出て、パチンコ店外に設けられた現金支払機３０に赴く。ＩＣカード２０を現金支払機３０に読みこませると、ＩＣカード２０に記録された景品情報の個数に応じて、現金の支払いを受けることができる。例えば、千両箱は１個につき３００円という交換比率にしておけば、千両箱：３個という情報が書き込まれたＩＣカード２０により、最大、３×３００＝９００円の現金の支払いを受けられる。ただし、千両箱を３個全部換金せずに、１個あるいは２個だけ換金してもよい。
【００３６】
次に、本発明の実施形態にかかる景品処理システムにおける景品情報交換機１０の構成を説明する。図１は、景品情報交換機１０の構成を示すブロック図である。景品情報交換機１０は、計数部１０２、パチンコ玉搬送部１０４、パチンコ玉貯蔵部１０６、返却口１０８、交換比率記録手段１１０、景品情報数決定手段１１４、ＩＣカードライタ（景品情報書込手段）１１６、ディスプレイ１１８を備える。
【００３７】
計数部１０２は、プレーヤーが持参したパチンコ玉の個数をカウントする。パチンコ玉は、最終的には、貨幣に置き換わるので、貨幣を代替する物といえる。貨幣を代替する物としては、他にスロットマシーンから供給されたメダル、チップ等をやりとりする色々なゲーム（例えば、カードゲーム、ルーレット）におけるチップが考えられる。
【００３８】
パチンコ玉搬送部１０４は、計数部１０２によりカウントし終わったパチンコ玉を受け、パチンコ玉貯蔵部１０６および返却口１０８に搬送する。返却口１０８には、端数玉とされた個数のパチンコ玉が搬送される。パチンコ玉貯蔵部１０６には、プレーヤーが持参したパチンコ玉から端数玉を除いたもの全てが搬送される。
【００３９】
パチンコ玉貯蔵部１０６は、パチンコ玉搬送部１０４から搬送されてきたパチンコ玉を貯蔵する。
【００４０】
返却口１０８は、パチンコ玉搬送部１０４から搬送されてきた、端数玉とされた個数のパチンコ玉を排出する。プレーヤーは返却口１０８をさらって端数玉とされた個数のパチンコ玉の返却を受けることができる。
【００４１】
交換比率記録手段１１０は、パチンコ玉と景品情報（千両箱）との交換比率を記録する。交換比率記録手段１１０は、価値記録部１１０ａ、景品情報記録部１１０ｂを有する。
【００４２】
価値記録部１１０ａは、パチンコ玉と貨幣価値（例えば、円）との交換比率を記録する。価値記録部１１０ａの記録内容の一例を図２に示す。図２に示すように、パチンコ玉１個が貨幣価値３．２円に対応すると記録されている。
【００４３】
景品情報記録部１１０ｂは、貨幣価値（例えば、円）と景品情報（千両箱）との交換比率を記録する。景品情報記録部１１０ｂの記録内容の一例を図３に示す。図３に示すように、貨幣価値３００円が千両箱１個に対応すると記録されている。
【００４４】
価値記録部１１０ａおよび景品情報記録部１１０ｂの記録内容からパチンコ玉と景品情報（千両箱）との交換比率がわかるので、交換比率記録手段１１０は、パチンコ玉と景品情報（千両箱）との交換比率を記録しているといえる。
【００４５】
なお、価値記録部１１０ａおよび景品情報記録部１１０ｂの記録内容は、パチンコ店において独自に設定できる。
【００４６】
景品情報数決定手段１１４は、計数部１０２によりカウントされたパチンコ玉の個数と、交換比率記録手段１１０の記録内容に基づき、プレーヤーが持参したパチンコ玉に相当する景品情報（千両箱）の単位数（個数）を決定する。
【００４７】
景品情報数決定手段１１４は、価値換算部１１４ａ、景品情報換算部１１４ｂを有する。
【００４８】
価値換算部１１４ａは、計数部１０２によりカウントされたパチンコ玉の個数と、価値記録部１１０ａの記録内容に基づき、プレーヤーが持参したパチンコ玉に相当する貨幣価値を求める。例えば、計数部１０２によりカウントされたパチンコ玉の個数が３００個であるとする。すると、貨幣価値は、３００×３．２＝９６０円となる。
【００４９】
景品情報換算部１１４ｂは、景品情報記録部１１０ｂの記録内容に基づき、価値換算部１１４ａにより求められた貨幣価値に相当する景品情報の単位数（個数）を求める。例えば価値換算部１１４ａにより求められた貨幣価値が９６０円であるとする。すると、景品情報の個数は、９６０÷３００＝３個（余り６０円）となる。ここで、余った６０円は、パチンコ玉の個数に換算し、６０÷３．２≒１９個（少数点以下は切り上げ）を得る。このパチンコ玉の個数（１９個）が端数玉といわれる。端数玉の個数は、景品情報（千両箱）と交換できる個数に満たないパチンコ玉の個数といえる。
【００５０】
端数玉の個数は、パチンコ玉搬送部１０４に送られる。これにより、返却口１０８からのパチンコ玉の返却が可能となる。
【００５１】
景品情報換算部１１４ｂは、景品情報の個数をＩＣカードライタ１１６に送る。なお、端数玉の個数のパチンコ玉の返却にかえて、端数玉の個数をＩＣカードライタ１１６に送るようにしてもよい。この場合は、端数玉の返却は行なわれない。なお、景品情報換算部１１４ｂは、景品情報の個数および端数玉の個数をディスプレイ１１８に表示させる。
【００５２】
ＩＣカードライタ（景品情報書込手段）１１６は、景品情報換算部１１４ｂから受けた景品情報（千両箱）およびその個数をＩＣカード２０に書き込む。なお、端数玉の個数をＩＣカードライタ１１６に送る場合は、端数玉の個数もＩＣカード２０に書き込む。
【００５３】
ディスプレイ１１８は、景品情報の個数および端数玉の個数を表示する。表示の際には、景品情報のイメージ（例えば、千両箱のイラスト）を景品情報の個数だけ表示するようにしてもよい。
【００５４】
次に、本発明の実施形態にかかる景品処理システムにおけるＩＣカード（景品情報記録媒体）２０の構成を説明する。図４は、ＩＣカード（景品情報記録媒体）２０の構成を示すブロック図である。ＩＣカード２０は、景品情報受信部２２、景品情報記録部２４、景品情報送信部２６を備える。
【００５５】
景品情報受信部２２は、ＩＣカードライタ１１６からの情報を受信し、景品情報記録部２４に書き込む。
【００５６】
景品情報記録部２４は、景品情報受信部２２からの情報の書き込みを受ける。景品情報記録部２４の記録内容の一例を図５に示す。図５（ａ）は、景品情報の個数（千両箱：３個）のみが記録される場合（端数玉は返却される）、図５（ｂ）は、景品情報の個数（千両箱：３個）および端数玉の個数が記録される場合（端数玉は返却されない）の記録内容の一例を示す。
【００５７】
景品情報送信部２６は、景品情報記録部２４から記録内容を読み出して、現金支払機３０に送信する。
【００５８】
次に、本発明の実施形態にかかる景品処理システムにおける現金支払機３０の構成を説明する。図６は、現金支払機３０の構成を示すブロック図である。現金支払機３０は、ＩＣカードリーダ（景品情報読出手段）３１、貨幣交換比率記録部３２、貨幣価値決定部３３、ディスプレイ３４、指示器３５、現金貯蔵部３６、現金支払部３７、支払口３８を備える。
【００５９】
ＩＣカードリーダ（景品情報読出手段）３１は、ＩＣカード２０に記録された景品情報およびその個数を読み出す。これにより読み出された景品情報（千両箱）およびその個数は、貨幣価値決定部３３およびディスプレイ３４に送られる。
【００６０】
ディスプレイ３４は、ＩＣカードリーダ３１が読み出した景品情報（千両箱）およびその個数を表示する。表示の際には、景品情報のイメージ（例えば、千両箱のイラスト）を個数だけ表示するようにしてもよい。
【００６１】
指示器３５は、ディスプレイ３４に表示された景品情報（千両箱）およびその個数に基づき、どの景品情報を何個、貨幣に交換する（換金）かをプレーヤーが指示するためのものである。例えば、千両箱のイラストが３個、ディスプレイ３４に表示されているならば、景品情報（千両箱）を３個全て換金してもよいし、１〜２個換金してもよい。ただし、４個以上の換金の指示は、貨幣価値決定部３３により無効とされる。
【００６２】
貨幣交換比率記録部３２は、景品情報と貨幣（例えば、円）との交換比率を記録する。貨幣交換比率記録部３２の記録内容の一例を図７に示す。図７の例では、千両箱１個につき３００円となっている。
【００６３】
貨幣価値決定部３３は、ＩＣカードリーダ３１により読み出された景品情報（千両箱）と、指示器３５により指示された換金対象の景品情報の個数と、貨幣交換比率記録部３２の記録内容とに基づき、景品情報に相当する貨幣価値を決定する。例えば、景品情報：千両箱がＩＣカードリーダ３１により読み出され、換金対象の個数：３個と指示器３５により指示されたならば、３×３００＝９００円が貨幣価値となる。
【００６４】
現金貯蔵部３６には、現金（紙幣、硬貨）が貯蔵されている。
【００６５】
現金支払部３７は、貨幣価値決定部３３により決定された貨幣価値を受け、それに対応する現金を現金貯蔵部３６から取り出し、支払口３８に排出する。
【００６６】
支払口３８は、プレーヤーが現金を手にするためのものである。
【００６７】
次に、本発明の実施形態の動作を図８のフローチャートを参照して説明する。
【００６８】
まず、プレーヤーは図示省略したパチンコ台にてプレーを行ない、いわゆる「大当たり」という状況を発生させ、パチンコ台から多くのパチンコ玉を取得する（Ｓ１０）。
【００６９】
取得されたパチンコ玉は、景品情報交換機１０にもたらされ、景品情報交換機１０の計数部１０２によりパチンコ玉の個数がカウントされる（Ｓ１２）。カウントされたパチンコ玉の個数に基づき、景品情報（千両箱）およびその個数が景品情報数決定手段１１４により決定される。そして、プレーヤーが所持するＩＣカード２０に、景品情報（千両箱）およびその個数がＩＣカードライタ１１６により書き込まれる（Ｓ１４）。ＩＣカード２０は、景品情報記録部２４に書き込まれた景品情報（千両箱）およびその個数を記録する。
【００７０】
プレーヤーはパチンコ店を離れ、現金支払機３０に赴く。現金支払機３０のＩＣカードリーダ３１は、ＩＣカード２０の景品情報記録部２４から、景品情報送信部２６を介して、景品情報（千両箱）およびその個数を受ける（Ｓ１６）。景品情報およびその個数はディスプレイ３４に表示され、その表示内容を参照して、プレーヤーが換金する景品情報の個数を指示器３５により指示する。貨幣価値決定部３３は、ＩＣカードリーダ３１により読み出された景品情報（千両箱）と、指示器３５により指示された換金対象の景品情報の個数と、貨幣交換比率記録部３２の記録内容とに基づき、景品情報に相当する貨幣価値を決定する。現金支払部３７は、貨幣価値決定部３３により決定された貨幣価値を受け、それに対応する現金を現金貯蔵部３６から取り出し、支払口３８に排出する（Ｓ１８）。
【００７１】
本発明の実施形態によれば、ペンケース、ライターケース等の実在する景品にかえて、景品情報（千両箱）という無体物を介在させて、パチンコ玉と現金との交換を行なうことができる。景品情報を介在させるためには、ＩＣカード２０のような情報を記録できる媒体があればよく、実在する景品を扱うための中間業者の存在を不要にできる。
【００７２】
なお、本発明の実施形態には変形例が考えられるので説明する。図９は、景品情報交換機１０の変形例の構成を示すブロック図である。
【００７３】
景品情報交換機１０に、さらにＩＣカードリーダ（所持者識別情報読出手段）１２０を設け、ＩＣカード２０を所持するプレーヤーを識別する情報を取得するようにする。ただし、ＩＣカード２０には、ＩＣカード２０を所持するプレーヤーを識別する情報を記録しておく。また、統計記録部１２２は、ＩＣカード２０を所持するプレーヤーを識別する情報と、計数部１０２によりカウントされたパチンコ玉の個数とを対応づけて記録しておく。これにより、プレーヤーごとのパチンコ玉の獲得数の統計を入手できる。
【００７４】
さらに、貸玉機によりプレーヤに与えたパチンコ玉の個数の貸与履歴（貸与の時間および貸与の個数など）をも、ＩＣカード２０に記録するようにしてもよい。この場合、景品情報交換機１０のＩＣカードリーダ（貸与履歴読出手段）１２０から、貸玉機によりプレーヤに与えたパチンコ玉の個数等の貸与履歴を取得する。統計記録部１２２は、ＩＣカード２０を所持するプレーヤーを識別する情報と、計数部１０２によりカウントされたパチンコ玉の個数および貸与履歴とを対応づけて記録しておく。これにより、プレーヤーごとのプレー履歴（いつプレーをしたか等）および勝率（パチンコ玉を景品情報に交換した回数をパチンコ玉の貸与した回数で割ることなどにより得られる）を求めることができる。
【００７５】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えば、景品情報交換機１０の交換比率記録手段１１０、景品情報数決定手段１１４、現金支払機３０の貨幣交換比率記録部３２、貨幣価値決定部３３）を実現するプログラムを記録したメディアを読み取らせて、ハードディスクにインストールする。このような方法でも、上記の実施形態における景品情報交換機１０および現金支払機３０の機能の一部を実現できる。
【図面の簡単な説明】
【００７６】
【図１】景品情報交換機１０の構成を示すブロック図である。
【００７７】
【図２】価値記録部１１０ａの記録内容の一例を示す図である。
【００７８】
【図３】景品情報記録部１１０ｂの記録内容の一例を示す図である。
【００７９】
【図４】ＩＣカード（景品情報記録媒体）２０の構成を示すブロック図である。
【００８０】
【図５】景品情報記録部２４の記録内容の一例を示す図であり、図５（ａ）は、景品情報の個数（千両箱：３個）のみが記録される場合（端数玉は返却される）、図５（ｂ）は、景品情報の個数（千両箱：３個）および端数玉の個数が記録される場合（端数玉は返却されない）の記録内容の一例を示す。
【００８１】
【図６】現金支払機３０の構成を示すブロック図である。
【００８２】
【図７】貨幣交換比率記録部３２の記録内容の一例を示す図である。
【００８３】
【図８】本発明の実施形態の動作を示すフローチャートである。
【００８４】
【図９】景品情報交換機１０の変形例の構成を示すブロック図である。
【符号の説明】
【００８５】
１０  景品情報交換機
１０２  計数部
１０８  返却口
１１０  交換比率記録手段
１１０ａ  価値記録部
１１０ｂ  景品情報記録部
１１４  景品情報数決定手段
１１６  ＩＣカードライタ（景品情報書込手段）
２０  ＩＣカード
３０  現金支払機
３１  ＩＣカードリーダ（景品情報読出手段）
３２  貨幣交換比率記録部
３３  貨幣価値決定部
３６  現金貯蔵部
３７  現金支払部
３８  支払口
【図１】
2005185449.tif 000003
【図２】
2005185449.tif 000004
【図３】
2005185449.tif 000005
【図４】
2005185449.tif 000006
【図５】
2005185449.tif 000007
【図６】
2005185449.tif 000008
【図７】
2005185449.tif 000009
【図８】
2005185449.tif 000010
【図９】
2005185449.tif 000011